(57)【特許請求の範囲】
【請求項１】
文字、数字、記号及び図形のうち少なくとも１種類の１ないし複数のコード情報を含む電子情報を送受信する複数の情報端末（２，４）と、
前記情報端末との間で所定のネットワーク網（８）を介して通信可能に構成されたセンタ装置（６）と、
を備え、
前記センタ装置（６）は、
複数の前記コード情報について、当該コード情報毎に手書きフォントを、当該手書きフォントを指定するための指定条件を示す条件情報に対応付けて記憶している記憶手段（２４）と、
前記情報端末から受信した前記コード情報及び前記条件情報に基づき、前記指定条件を満たす手書きフォントを前記記憶手段から抽出し、抽出した手書きフォントを当該情報端末に前記ネットワーク網を介して配信する手書きフォント配信手段（Ｓ３１０−Ｓ３３０）と、
を有し、
前記情報端末（２，４）は、
操作者による入力に基づき、前記コード情報を生成するコード情報生成手段（Ｓ１２０，Ｓ６２０）と、
操作者による前記指定条件の選択結果に基づき、前記条件情報を生成する条件情報生成手段（Ｓ１６０，Ｓ６６０）と、
前記コード情報生成手段により生成された１ないし複数のコード情報と、前記条件情報生成手段により生成された条件情報と、を対応付けた情報を含む前記電子情報を、他の情報端末に送信する電子情報送信手段（Ｓ１８０，Ｓ６８０）と、
他の情報端末から前記電子情報を受信する電子情報受信手段（Ｓ２１０）と、
前記電子情報受信手段により受信した前記電子情報に含まれている前記条件情報と、当該条件情報に対応するコード情報と、を前記センタ装置に前記ネットワーク網を介して転送し、その後、前記センタ装置から配信された手書きフォントを表示する手書きフォント表示手段（Ｓ２３０−Ｓ２５０）と、
を有する手書きフォント配信システム（１）であって、
前記条件情報は、前記指定条件として、前記手書きフォントについての筆記者に関連する１ないし複数種類の条件を示す情報であって、単独では前記筆記者を指定不可な付加条件を含む情報であり、
前記付加条件は、前記筆記者の年齢または学年に関連する条件であり、
前記情報端末（２，４）は、
前記筆記者としての操作者による手書き入力に基づき、前記手書きフォントを生成する手書きフォント生成手段（Ｓ４２０）と、
前記手書きフォント生成手段により生成された手書きフォントを、当該手書きフォントに対応する前記コード情報及び前記条件情報と共に、前記センタ装置に前記ネットワーク網を介して送信する手書きフォント送信手段（Ｓ４７０）と、
を更に有し、
前記センタ装置（６）は、
前記情報端末から受信した前記手書きフォントを当該コード情報及び前記条件情報に対応付けて、前記記憶手段に登録する登録手段（Ｓ５５０）と、
前記記憶手段に記憶されている条件情報が含む付加条件に基づくタイミングで、前記手書きフォントの登録を促す更新メッセージを、前記情報端末に前記ネットワーク網を介して送信する更新手段（Ｓ６２０−Ｓ６３０）と、
を更に有することを特徴とする手書きフォント配信システム。
【請求項２】
文字、数字、記号及び図形のうち少なくとも１種類の１ないし複数のコード情報を含む電子情報を送受信する複数の情報端末（２，４）と、
前記情報端末との間で所定のネットワーク網（８）を介して通信可能に構成されたセンタ装置（６）と、
を備え、
前記センタ装置（６）は、
複数の前記コード情報について、当該コード情報毎に手書きフォントを、当該手書きフォントを指定するための指定条件を示す条件情報に対応付けて記憶している記憶手段（２４）と、
前記情報端末から受信した前記コード情報及び前記条件情報に基づき、前記指定条件を満たす手書きフォントを前記記憶手段から抽出し、抽出した手書きフォントを当該情報端末に前記ネットワーク網を介して配信する手書きフォント配信手段（Ｓ３１０−Ｓ３３０）と、
を有し、
前記情報端末（２，４）は、
操作者による入力に基づき、前記コード情報を生成するコード情報生成手段（Ｓ１２０，Ｓ６２０）と、
操作者による前記指定条件の選択結果に基づき、前記条件情報を生成する条件情報生成手段（Ｓ１６０，Ｓ６６０）と、
前記コード情報生成手段により生成された１ないし複数のコード情報と、前記条件情報生成手段により生成された条件情報と、を対応付けた情報を含む前記電子情報を、他の情報端末に送信する電子情報送信手段（Ｓ１８０，Ｓ６８０）と、
他の情報端末から前記電子情報を受信する電子情報受信手段（Ｓ２１０）と、
前記電子情報受信手段により受信した前記電子情報に含まれている前記条件情報と、当該条件情報に対応するコード情報と、を前記センタ装置に前記ネットワーク網を介して転送し、その後、前記センタ装置から配信された手書きフォントを表示する手書きフォント表示手段（Ｓ２３０−Ｓ２５０）と、
を有する手書きフォント配信システム（１）であって、
前記条件情報は、前記指定条件として、前記手書きフォントについての筆記者に関連する１ないし複数種類の条件を示す情報であり、
前記記憶手段は、前記筆記者が撮像された写真を前記手書きフォントに対応付けて記憶しており、
前記手書きフォント配信手段は、前記抽出した手書きフォントに対応する前記写真を添付して該手書きフォントを配信する、
ことを特徴とする手書きフォント配信システム。
【請求項３】
請求項２に記載の手書きフォント配信システムであって、
前記条件情報生成手段は、前記手書きフォントに対応する写真を添付するか否かを指定する選択を含む、前記操作者による前記指定条件の選択結果に基づき、前記条件情報を生成する、
ことを特徴とする手書きフォント配信システム。
【請求項４】
文字、数字、記号及び図形のうち少なくとも１種類の１ないし複数のコード情報を含む電子情報を送受信する複数の情報端末（２，４）と、
前記情報端末との間で所定のネットワーク網を介して通信可能に構成され、複数の前記コード情報について、当該コード情報毎に手書きフォントを、当該手書きフォントを指定するための指定条件を示す条件情報に対応付けて記憶している記憶手段（２４）を有するセンタ装置（６）と、
を備えるシステム（１）で用いられる手書きフォント配信方法であって、
前記センタ装置（６）は、
前記情報端末から受信した前記コード情報及び前記条件情報に基づき、前記指定条件を満たす手書きフォントを前記記憶手段から抽出し、抽出した手書きフォントを当該情報端末に前記ネットワーク網を介して配信する手書きフォント配信工程（Ｓ３１０−Ｓ３３０）、
を有し、
前記情報端末（２，４）は、
操作者による入力に基づき、前記コード情報を生成するコード情報生成工程（Ｓ１２０，Ｓ６２０）と、
操作者による前記指定条件の選択結果に基づき、前記条件情報を生成する条件情報生成工程（Ｓ１６０，Ｓ６６０）と、
前記コード情報生成工程により生成された１ないし複数のコード情報と、前記条件情報生成工程により生成された条件情報と、を対応付けた情報を含む前記電子情報を、他の情報端末に送信する電子情報送信工程（Ｓ１８０，Ｓ６８０）と、
他の情報端末から前記電子情報を受信する電子情報受信工程（Ｓ２１０）と、
前記電子情報受信工程により受信した前記電子情報に含まれている前記条件情報と、当該条件情報に対応するコード情報と、を前記センタ装置に前記ネットワーク網を介して転送し、その後、前記センタ装置から配信された手書きフォントを表示する手書きフォント表示工程（Ｓ２３０−Ｓ２５０）と、
を有する手書きフォント配信方法であって、
前記条件情報は、前記指定条件として、前記手書きフォントについての筆記者に関連する１ないし複数種類の条件を示す情報であって、単独では前記筆記者を指定不可な付加条件を含む情報であり、
前記付加条件は、前記筆記者の年齢または学年に関連する条件であり、
前記情報端末（２，４）は、
前記筆記者としての操作者による手書き入力に基づき、前記手書きフォントを生成する手書きフォント生成工程（Ｓ４２０）と、
前記手書きフォント生成工程により生成された手書きフォントを、当該手書きフォントに対応する前記コード情報及び前記条件情報と共に、前記センタ装置に前記ネットワーク網を介して送信する手書きフォント送信工程（Ｓ４７０）と、
を更に有し、
前記センタ装置（６）は、
前記情報端末から受信した前記手書きフォントを当該コード情報及び前記条件情報に対応付けて、前記記憶手段に登録する登録工程（Ｓ５５０）と、
前記記憶手段に記憶されている条件情報が含む付加条件に基づくタイミングで、前記手書きフォントの登録を促す更新メッセージを、前記情報端末に前記ネットワーク網を介して送信する更新工程（Ｓ６２０−Ｓ６３０）と、
を更に有することを特徴とする手書きフォント配信方法。
【請求項５】
文字、数字、記号及び図形のうち少なくとも１種類の１ないし複数のコード情報を含む電子情報を送受信する複数の情報端末（２，４）と、
前記情報端末との間で所定のネットワーク網を介して通信可能に構成され、複数の前記コード情報について、当該コード情報毎に手書きフォントを、当該手書きフォントを指定するための指定条件を示す条件情報に対応付けて記憶している記憶手段（２４）を有するセンタ装置（６）と、
を備えるシステム（１）で用いられる手書きフォント配信方法であって、
前記センタ装置（６）は、
前記情報端末から受信した前記コード情報及び前記条件情報に基づき、前記指定条件を満たす手書きフォントを前記記憶手段から抽出し、抽出した手書きフォントを当該情報端末に前記ネットワーク網を介して配信する手書きフォント配信工程（Ｓ３１０−Ｓ３３０）、
を有し、
前記情報端末（２，４）は、
操作者による入力に基づき、前記コード情報を生成するコード情報生成工程（Ｓ１２０，Ｓ６２０）と、
操作者による前記指定条件の選択結果に基づき、前記条件情報を生成する条件情報生成工程（Ｓ１６０，Ｓ６６０）と、
前記コード情報生成工程により生成された１ないし複数のコード情報と、前記条件情報生成工程により生成された条件情報と、を対応付けた情報を含む前記電子情報を、他の情報端末に送信する電子情報送信工程（Ｓ１８０，Ｓ６８０）と、
他の情報端末から前記電子情報を受信する電子情報受信工程（Ｓ２１０）と、
前記電子情報受信工程により受信した前記電子情報に含まれている前記条件情報と、当該条件情報に対応するコード情報と、を前記センタ装置に前記ネットワーク網を介して転送し、その後、前記センタ装置から配信された手書きフォントを表示する手書きフォント表示工程（Ｓ２３０−Ｓ２５０）と、
を有する手書きフォント配信方法であって、
前記条件情報は、前記指定条件として、前記手書きフォントについての筆記者に関連する１ないし複数種類の条件を示す情報であり、
前記記憶手段は、前記筆記者が撮像された写真を前記手書きフォントに対応付けて記憶しており、
前記手書きフォント配信工程は、前記抽出した手書きフォントに対応する前記写真を添付して該手書きフォントを配信する、
ことを特徴とする手書きフォント配信方法。
【請求項６】
請求項５に記載の手書きフォント配信方法であって、
前記条件情報生成工程は、前記手書きフォントに対応する写真を添付するか否かを指定する選択を含む、前記操作者による前記指定条件の選択結果に基づき、前記条件情報を生成する、
ことを特徴とする手書きフォント配信方法。
【発明の詳細な説明】
【技術分野】
【０００１】
本発明は、手書きフォントを利用して電子情報の授受を行う技術に関する。
【背景技術】
【０００２】
従来、例えば電子メールや電子メッセージ等の授受において、送り手側のペン入力等により予め登録された手書きフォントを、送信側端末から受信側端末へ送信する技術が知られている。
【０００３】
例えば、本願出願人は、１つの文字等に対して複数種類の手書きフォントを送信側端末等に予め登録しておき、電子メールや電子メッセージの本文等において、同一文字に対し、同一種類の手書きフォントが連続して変換されないように出力制御等を行うことで、画一的で不自然な印象をより低減させる技術を提案している（特許文献１参照）。
【先行技術文献】
【特許文献】
【０００４】
【特許文献１】特許第４８８６０９８号公報
【発明の概要】
【発明が解決しようとする課題】
【０００５】
しかしながら、従来技術では、例えば同一人相手に、ときどき電子メールや電子メッセージ等を送る場合であれば、手書きフォントによって受け手に良い印象を与える可能性が高いものと見込まれるが、頻繁に電子メールや電子メッセージ等を送る場合には、代わり映えしない手書きフォントによって受け手にいわゆるマンネリ化等の良くない印象を与えてしまう可能性が懸念された。
【０００６】
よって、このことが手書きフォントの利用を控える契機付けとなり、全体として手書きフォントの利用低下を招く可能性がある、という問題があった。
本発明は、こうした問題にかんがみてなされたものであり、手書きフォントの利用の活性化につなげることが可能な技術を提供することを目的としている。
【課題を解決するための手段】
【０００７】
本発明の手書きフォント配信システムは、複数の情報端末と、センタ装置と、を備える。複数の情報端末は、文字、数字、記号及び図形のうち少なくとも１種類の１ないし複数のコード情報を含む電子情報を送受信する。センタ装置は、情報端末との間で所定のネットワーク網を介して通信可能に構成される。
【０００８】
具体的には、センタ装置は、記憶手段と、手書きフォント配信手段と、を有する。記憶手段は、複数のコード情報について、当該コード情報毎に手書きフォントを、当該手書きフォントを指定するための指定条件を示す条件情報に対応付けて記憶している。手書きフォント配信手段は、情報端末から受信したコード情報及び条件情報に基づき、上記指定条件を満たす手書きフォントを記憶手段から抽出し、抽出した手書きフォントを当該情報端末にネットワーク網を介して配信する。
【０００９】
情報端末は、コード情報生成手段と、条件情報生成手段と、電子情報送信手段と、電子情報受信手段と、手書きフォント表示手段と、を有する。コード情報生成手段は、操作者による入力に基づき、コード情報を生成する。条件情報生成手段は、操作者による上記指定条件の選択結果に基づき、条件情報を生成する。電子情報送信手段は、コード情報生成手段により生成された１ないし複数のコード情報と、条件情報生成手段により生成された条件情報と、を対応付けた情報を含む電子情報を、他の情報端末に送信する。電子情報受信手段は、他の情報端末から電子情報を受信する。手書きフォント表示手段は、電子情報受信手段により受信した電子情報に含まれている条件情報と、当該条件情報に対応するコード情報と、をセンタ装置にネットワーク網を介して転送し、その後、センタ装置から配信された手書きフォントを表示する。条件情報は、上記指定条件として、手書きフォントについての筆記者に関連する１ないし複数種類の条件を示す情報である。
【００１０】
このような構成によれば、送信側の情報端末の操作者（送り手）により選択された指定条件として、筆記者に関連する１ないし複数種類の条件を満たす手書きフォントが受信側の情報端末に表示されることになる。このため、例えば同一人相手に、頻繁に電子情報を送る場合であっても、送り手側がその都度、指定条件を変更することにより、多種多様な手書きフォントを受信側の情報端末に受け取らせることが可能となる。したがって、本発明によれば、手書きフォントによって受け手に良くない印象を与える懸念を低減でき、ひいては手書きフォントの利用の活性化につなげることができる。またこれにより、電子メールや電子メッセージ等の更なる利用促進につなげることもできる。
【００１１】
なお、条件情報は、上記指定条件として単独で筆記者を指定可能な条件を示す情報であってもよい。この場合、送り手の直接的な指定により、筆記者の異なる多種多様な手書きフォントを受信側の情報端末に受け取らせることが可能となり、例えば遠隔地に住む祖父母宛のメールに孫の手書きフォントを用いたり、例えば友人宛のメールにその友人の好みの有名人の手書きフォントを用いたりすることがより容易になる。これにより手書きフォントの利用の活性化をより図ることができ、ひいては電子メールや電子メッセージ等の更なる利用促進につなげることもできる。
【００１２】
また、条件情報は、上記指定条件として単独では筆記者を指定付加な付加条件を含む情報であってもよい。上記付加条件としては、例えば筆記者の性別や、血液型、職業、生年月日等が挙げられる。この場合、送り手自身と同じカテゴリーに属する筆記者の手書きフォントを容易に利用できるようになるので、例えば送り手が自筆の手書きフォントを前もってセンタ装置に登録していない状態であっても、手書きフォントの利用を試す契機付けを送り手に与えることができる。これにより手書きフォントの利用の活性化をより図ることができ、ひいては電子メールや電子メッセージ等の更なる利用促進につなげることもできる。
【００１３】
また、上記付加条件は、筆記者の年齢または学年に関連する条件であってもよい。この場合、例えば送り手自身が年齢または学年が変わる毎に自筆の手書きフォントをセンタ装置に登録することにより、送り手自身が幼少の頃に筆記した手書きフォントを大人になってからも使用することができ、ひいては電子メールや電子メッセージ等について、バラエティに富み、且つオリジナル性の高い利用を促進することができる。また例えば、送り手自身の手書きフォントに限らず、送り手と同じ年代に属する筆記者の手書きフォントを利用できるので、前の段落で既に述べた同様の理由により、手書きフォントの利用の活性化をより図ることができ、ひいては電子メールや電子メッセージ等の更なる利用促進につなげることもできる。
【００１４】
なお、本発明において、情報端末は、手書きフォント生成手段と、手書きフォント送信手段と、を有し、センタ装置は、登録手段を有してもよい。情報端末において、手書きフォント生成手段は、筆記者としての操作者による手書き入力に基づき、手書きフォントを生成する。手書きフォント送信手段は、手書きフォント生成手段により生成された手書きフォントを、当該手書きフォントに対応するコード情報及び条件情報と共に、センタ装置にネットワーク網を介して送信する。センタ装置において、登録手段は、情報端末から受信した手書きフォントを当該コード情報及び条件情報に対応付けて、記憶装置に登録する。この場合、送り手側のペン入力等により、必ずしも情報端末に記憶させることなく、自筆の手書きフォントをセンタ装置に容易に登録することができる。
【００１５】
またこの場合において、条件情報が、上記指定条件として単独では筆記者を指定付加な付加条件を含む情報であり、当該付加条件が、筆記者の年齢または学年に関連する条件である、という前提の下、センタ装置は、更新手段を有してもよい。センタ装置において、更新手段は、記憶手段に記憶されている条件情報が含む付加条件に基づくタイミングで、手書きフォントの登録を促す更新メッセージを、前記情報端末に前記ネットワーク網を介して送信する。
【００１６】
このような構成によれば、例えば送り手自身が年齢または学年が変わる毎に自筆の手書きフォントをセンタ装置に登録しようとする際に、センタ装置から情報端末へリマインダの通知がなされるので、利用者の登録忘れを適切に予防することができる。
【００１７】
また、本発明の手書きフォント配信方法によれば、上記同様の理由により、本発明の手書きフォント配信システムにおいて既に述べた効果と同様の効果を得ることができる。
なお、特許請求の範囲に記載した括弧内の符号は、一つの態様として後述する実施形態に記載の具体的手段との対応関係を示すものであって、本発明の技術的範囲を限定するものではない。
【図面の簡単な説明】
【００１８】
【図１】手書きフォント配信システム１の構成を示すブロック図である。
【図２】送信側端末２及び受信側端末４の構成を示すブロック図である。
【図３】センタ装置６の構成を示すブロック図である。
【図４】センタ装置６の記憶装置２４のデータベースを示す説明図である。
【図５】送信側端末２の制御部１０が実行する電子情報送信処理（第１実施形態）のフローチャートである。
【図６】受信側端末４の制御部１０が実行する電子情報受信処理のフローチャートである。
【図７】センタ装置６の制御部２２が実行する手書きフォント配信処理のフローチャートである。
【図８】送信側端末２の制御部１０が実行する手書きフォント送信処理のフローチャートである。
【図９】センタ装置６の制御部２２が実行する登録・更新処理のフローチャートである。
【図１０】送信側端末２の制御部１０が実行する電子情報送信処理（第２実施形態）のフローチャートである。
【発明を実施するための形態】
【００１９】
以下、本発明が適用された実施形態について、図面を用いて説明する。
［１．第１実施形態］
［１−１．構成］
図１に示す手書きフォント配信システム１は、送信側端末２及び受信側端末４を含む複数の情報端末（図示せず）と、センタ装置６と、を備える。なお、送信側端末２及び受信側端末４はそれぞれ、電子メールや電子メッセージ等の電子情報を送信する側の情報端末と、当該電子情報を受信する側の情報端末と、に説明の便宜上分けたものであり、いずれも情報端末として同一の構成要素を備える。
【００２０】
また、本実施形態では、送信側端末２及び受信側端末４のそれぞれは、タッチパネル及びモバイル通信機能を有するスマートフォンやタブレット端末等の可搬型情報端末であることを前提に説明するが、これらに限らず、例えば、タッチパネル以外のユーザインターフェースを有する携帯電話機等であってもよいし、固定通信機能を有するパーソナルコンピュータ等の据置型情報端末であってもよい。
【００２１】
また、手書きフォント配信システム１において、上記電子情報は、送信側端末２と受信側端末４との間で、例えば移動体通信網（図示せず）、インターネット通信網（図示せず）、又はこれらの両通信網を含む所定のネットワーク網８を介して送受信される。さらに後述するように、上記電子情報に含まれない情報を含む各種情報が、送信側端末２及び受信側端末４のそれぞれとセンタ装置６との間で、ネットワーク網８を介して送受信される。なお、本実施形態では、センタ装置６は、インターネット通信網上のサーバ機能を有するコンピュータ機器であることを前提に説明するが、これに限らず、例えば、移動体通信網上の基地局としての機能を有するコンピュータ機器であってもよい。
【００２２】
送信側端末２及び受信側端末４それぞれは、図２に示すように、制御部１０と、操作部１２と、表示部１４と、通信部１６と、を備える。
通信部１６は、少なくとも、移動体通信網又はネットワーク網８を介して他の情報端末との間で電子情報の送受信を行う機能と、ネットワーク網８を介してセンタ装置６との間で各種情報の送受信を行う機能と、をそれぞれ実現するための周知の各構成要素を有する。通信部１６は、例えば、当該情報端末の位置をカバーする通信エリア内の基地局に接続され、移動体通信網を介して電子メッセージの送受信を行ったり、ネットワーク網８を介して電子メールの送受信を行ったりする。
【００２３】
表示部１４は、少なくとも、上記の電子情報や各種情報に基づく表示を行うための周知の表示パネルを有する。例えば、表示部１４の表示パネルとしては、液晶ディスプレイや有機ＥＬディスプレイ等が用いられる。
【００２４】
操作部１２は、少なくとも、表示部１４の表示パネルの表面に一体的に配設され、この表示パネルと共にタッチパネルを構成する周知の入力パネルを有する。例えば、この入力パネルでは、操作者による表示パネルの表示面への押下操作を検出して、その押下操作がなされた表示面上の座標（検出位置）を表すデータを、制御部１０に入力する。なお、この入力パネルとしては、マトリックススイッチ方式や、抵抗膜方式、表面弾性波方式、電磁誘導方式、静電容量方式などの周知の方式のうちいずれの方式のものが採用されてもよい。
【００２５】
制御部１０は、ＣＰＵ１８と、各種のＲＯＭ及びＲＡＭやフラッシュメモリ等のメモリ２０と、Ｉ／Ｏ及び各部を接続するバスライン（図示せず）と、を含む周知のマイクロコンピュータ（以下「マイコン」という）１８を中心に構成されている。例えば、制御部１０では、ＣＰＵ１８が、ＲＯＭやフラッシュメモリ等に記憶されたプログラム（ＯＳやアプリケーション等）に基づいて、ＲＡＭを作業エリアとして、情報端末としての各種機能を実現するための処理を実行する。
【００２６】
具体的には、ＣＰＵ１８は、ＯＳやアプリケーション等のプログラムに予め割り当てられたタスクに基づいて表示部１４や通信部１６を制御し、また操作部１２や通信部１６からの入力に応じたタスクを開始する等、各種のユーザインターフェース制御処理を実行する。こうしたユーザインターフェース制御処理には、後述する電子情報送信処理、電子情報受信処理及び手書きフォント送信処理が含まれる。
【００２７】
センタ装置６は、図３に示すように、制御部２２と、記憶装置２４と、ネットワークインターフェース（以下「ネットワークＩＦ」という）２６と、を備える。
ネットワークＩＦ２６は、少なくとも、ネットワーク網８を介して送信側端末２及び受信側端末４のそれぞれとの間で各種情報の送受信を行う機能を実現するための周知の構成要素を有する。
【００２８】
記憶装置２４は、図４に示すように、文字、数字、記号及び図形のそれぞれについてその形状や意味を識別するための識別コードを示す情報（以下「コード情報」という）と、予め登録された手書きフォントと、手書きフォントを指定するための指定条件を示す情報（以下「条件情報」という）と、をデータベースに記憶している。
【００２９】
コード情報は、例えば文字、数字、記号及び図形を含む文章を画像データとして扱わずに、テキスト形式で扱う場合に、その各文字、各数字、各記号、各図形のそれぞれに対するコードを識別コードとする情報である。この識別コードは、文字、数字及び記号に対応するいわゆる文字コードの他、電子メールや電子メッセージ内で例えばハートマーク等の図形として用いられるいわゆる絵文字等に対応するコードを含む概念である。
【００３０】
手書きフォントは、筆記者によるペン入力等の手書きで作成されたフォントである。フォントは、少なくとも情報端末の画面に表示するために利用できるようにした書体データである。この手書きフォントは、記憶装置２４において、各コード情報に対応付けて記憶されている。
【００３１】
条件情報は、手書きフォントについての筆記者に関連する１ないし複数種類の条件を示す情報である。具体的には、この条件情報は、上記指定条件として、手書きフォントの筆記者を単独で指定可能な条件を示す情報（以下「ＩＤ情報」という）と、手書きフォントの筆記者を単独では指定不可な条件（以下「付加条件」という）を示す情報（以下「付加情報」という）と、に大別される。このうちＩＤ情報は、手書きフォントの筆記者毎にユニークに付与される必須の情報である。
【００３２】
一方、付加情報は、手書きフォントの筆記者毎に付与される任意の情報である。この付加情報は、例えば筆記者の性別や血液型、職業、生年月日等に関連する条件を示す情報（以下「属性情報」という）と、手書きフォントを登録したときの筆記者の年齢または学年に関連する条件を示す情報（以下「履歴情報」という）と、に大別される。なお、履歴情報において、例えば最も新しく手書きフォントが登録された年齢または学年には、その旨を示すフラグ（図４の「現在」に相当）が立てられている。
【００３３】
記憶装置２４は、複数のコード情報について、当該コード情報毎に手書きフォントを、上記の条件情報に対応付けて記憶している。詳細には、記憶装置２４は、上記の条件情報のうち、ＩＤ情報及び属性情報毎に手書きフォントを履歴情報に対応付けて記憶している。なお、記憶装置２４は、上記の条件情報のうち、ＩＤ情報及び属性情報毎に、筆記者が撮像された写真を、履歴情報及び手書きフォントに対応付けて記憶してもよい。
【００３４】
制御部２２は、情報端末の制御部１０と同様に、周知のマイクロコンピュータ（マイコン）を中心に構成されている。例えば、制御部２２では、ＣＰＵが、ＲＯＭやフラッシュメモリ等に記憶されたプログラム（ＯＳやアプリケーション等）に基づいて、ＲＡＭを作業エリアとして、センタ装置６としての各種機能を実現するための処理を実行する。
【００３５】
具体的には、制御部２２のＣＰＵは、ＯＳやアプリケーション等のプログラムに予め割り当てられたタスクに基づいて、ネットワークＩＦ２６や記憶装置２４を制御し、またネットワークＩＦ２６や記憶装置２４からの入力に応じたタスクを開始する等、各種のネットワークサーバ制御処理を実行する。こうしたネットワークサーバ制御処理には、後述する手書きフォント配信処理及び登録・更新処理が含まれる。
【００３６】
［１−２．処理］
［１−２−１．電子情報送信処理］
次に、送信側端末２の制御部１０が実行する電子情報送信処理について、図５のフローチャートを用いて説明する。なお、本処理は、操作部１２からの入力に応じて、電子メール又は電子メッセージに関連するアプリケーションの開始と共に起動し、当該アプリケーションが終了するまで実行される。
【００３７】
本処理が起動すると、送信側端末２の制御部１０は、まず、ステップ（以下単に「Ｓ」と記す）１１０において、表示部１４を介して操作者によるメール操作の入力を受け付ける。なお、メール操作とは、電子メールや電子メッセージの本文中において、送信側端末２の操作者が、文字や数字、記号、図形を入力、及び必要な変換を行う操作をいう。
【００３８】
次に、Ｓ１２０では、操作部１２からの入力に基づき、Ｓ１１０におけるメール操作に応じたコード情報を生成する。具体的には、メール操作において入力・変換された各文字、各数字、各記号、各図形のそれぞれに対応する識別コードを示す情報をコード情報として生成する。
【００３９】
続くＳ１３０では、操作部１２からの入力に基づき、操作者による上記の本文の入力が完了したか否かを判断する。なお、このステップは、当該アプリケーションの設計に応じて適宜省略可能である。例えばこのステップを実行する場合であって、操作者による上記の本文の入力が完了したと判断した場合には、Ｓ１４０に移行し、完了していないと判断した場合には、Ｓ１１０及びＳ１２０を続行する。
【００４０】
Ｓ１４０では、表示部１４を介して操作者による指定条件の選択を受け付ける。なお、指定条件の選択においては、本文中に表示された文字や数字、記号、図形等により構成されるテキスト全文、あるいは操作者により指定されたテキストのみを対象として、手書きフォントに変換するための指定条件が操作者により選択される。この選択では、前述の通り、例えば、当該手書きフォントの筆記者を単独で指定したり、さらに当該筆記者が手書きフォントを登録したときの年齢または学年を指定したりすることができる。また例えば、当該手書きフォントの筆記者を単独で指定する代わりに、当該筆記者の性別や血液型、職業、年代（年齢等の範囲）等を指定することもできる。なお、この選択では、手書きフォントに対応する写真を添付するか否かを指定することもできる。
【００４１】
続くＳ１５０では、操作部１２からの入力に基づき、Ｓ１４０における指定条件が選択されたか否かを判断する。指定条件が選択されたと判断した場合には、Ｓ１６０に移行し、指定条件が選択されなかったと判断した場合には、Ｓ１６０をスキップしてＳ１７０に移行する。こうして対象となるテキストを手書きフォントに変換させるか否かを判断する。
【００４２】
Ｓ１６０では、Ｓ１５０において選択された指定条件に応じた条件情報を生成する。例えば、Ｓ１５０において、手書きフォントの筆記者が単独で指定された場合には、これに対応するＩＤ情報を生成し、さらに年齢または学年が指定された場合には、これに対応する履歴情報を生成する。あるいは、Ｓ１５０において、性別や血液型、職業、年代等が指定された場合には、これに対応する属性情報を生成する。
【００４３】
続くＳ１７０では、操作部１２からの入力に基づき、操作者による送信操作が入力されたか否かを判断する。送信操作が入力されたと判断した場合には、Ｓ１８０に移行し、送信操作が入力されていないと判断した場合には、Ｓ１１０〜Ｓ１６０を続行する。
【００４４】
続くＳ１８０では、Ｓ１２０において生成された１ないし複数のコード情報と、Ｓ１６０において生成された条件情報と、を対応付けた情報を含む電子情報を、他の情報端末（受信側端末４）に送信し、Ｓ１１０に戻る。具体的には、電子メールや電子メッセージの本文を示す１ないし複数のコード情報と、この本文のうち手書きフォントに変換するテキストの対象部分を示すと共に、当該手書きフォントに関する指定条件を示す条件情報と、を含む電子情報が、通信部１６を介して送信される。なお、Ｓ１５０において、指定条件が選択されなかったと判断した場合には、コード情報を含み、且つ条件情報を含まない電子情報が、通信部１６を介して送信される。
【００４５】
［１−２−２．電子情報受信処理］
次に、受信側端末４の制御部１０が実行する電子情報受信処理について、図６のフローチャートを用いて説明する。なお、本処理は、送信側端末２の電源がオンされると起動し、当該電源がオフされると終了する。
【００４６】
本処理が起動すると、受信側端末４の制御部１０は、まず、Ｓ２１０において、通信部１６を介して他の情報端末（送信側端末２）から電子情報を受信したか否かを判断する。電子情報を受信したと判断した場合には、Ｓ２２０に移行し、電子情報を受信していないと判断した場合には、Ｓ２１０を続行する。
【００４７】
次に、Ｓ２２０では、Ｓ２１０において受信した電子情報に条件情報が含まれているか否かを判断する。条件情報が含まれていると判断した場合には、Ｓ２３０に移行し、条件情報が含まれていないと判断した場合には、Ｓ２３０及びＳ２４０をスキップしてＳ２５０に移行する。
【００４８】
続くＳ２３０では、Ｓ２１０において受信した電子情報に含まれている条件情報と、当該条件情報に対応するコード情報と、をセンタ装置６にネットワーク網８を介して転送する。具体的には、電子メールや電子メッセージの本文のうち手書きフォントに変換するテキストの対象部分と共に、手書きフォントに関する指定条件を示す条件情報と、当該テキストの対象部分に対応する１ないし複数のコード情報と、を含む情報（以下「条件付コード情報」という）が、通信部１６を介して送信される。
【００４９】
続くＳ２４０では、Ｓ２３０における条件付コード情報の送信に対する応答として、センタ装置６から通信部１６を介して手書きフォントを受信したか否かを判断する。手書きフォントを受信したと判断した場合には、Ｓ２５０に移行し、手書きフォントを受信していないと判断した場合には、Ｓ２４０を続行する。
【００５０】
続くＳ２５０では、Ｓ２４０において受信した手書きフォントを含む電子情報を表示部１４に表示し、Ｓ２１０に戻る。具体的には、Ｓ２１０において受信した電子情報のうち、Ｓ２３０におけるテキストの対象部分を、Ｓ２４０において受信した手書きフォントに変換して表示する。なお、Ｓ２２０において、条件情報が含まれていないと判断した場合には、手書きフォントには変換されずに、本文全体がテキストとして表示される。
【００５１】
［１−２−３．手書きフォント配信処理］
次に、センタ装置６の制御部２２が実行する手書きフォント配信処理について、図７のフローチャートを用いて説明する。なお、本処理は、センタ装置６の電源がオンされると起動し、当該電源がオフされると終了する。
【００５２】
本処理が起動すると、センタ装置６の制御部２２は、まず、Ｓ３１０において、ネットワークＩＦ２６を介して情報端末（送信側端末２又は受信側端末４）から条件付コード情報を受信したか否かを判断する。条件付コード情報を受信したと判断した場合には、Ｓ３２０に移行し、条件付コード情報を受信していないと判断した場合には、Ｓ３１０を続行する。
【００５３】
次に、Ｓ３２０では、Ｓ３１０において受信した条件付コード情報に基づき、指定条件を満たす手書きフォントを記憶装置２４から抽出する抽出処理を行う。具体的には、当該条件付コードを構成するコード情報及び条件情報のうち、各コード情報について、当該条件情報にて示される指定条件を満たす手書きフォントを抽出する。
【００５４】
例えば、当該条件情報が、指定条件として、単独で手書きフォントの筆記者を指定可能な条件を示す場合には、この条件のＩＤ情報に対応する手書きフォントを抽出し、さらに当該筆記者が手書きフォントを登録したときの年齢または学年を指定可能な条件を示す場合には、この条件の履歴情報に対応する手書きフォントを抽出する。また例えば、当該条件情報が、指定条件として、筆記者の性別や血液型、職業、年代等を指定可能な複数種類の条件を示す場合には、この条件を全て満たす属性情報に対応する手書きフォントを抽出する。
【００５５】
なお、指定条件のＩＤ情報に対応する手書きフォントが複数抽出された場合には、例えば図４の「現在」に相当するフラグが立てられた手書きフォントを抽出する構成を採用してもよい。また、指定条件の属性情報に対応する手書きフォントが複数抽出された場合には、抽出された複数の手書きフォントの中から、例えばランダムに選択された１種類の手書きフォントを抽出する構成を採用してもよい。なお、手書きフォントが一つも抽出されない場合には、例えばエラーメッセージを生成するようにしてもよい。
【００５６】
続くＳ３３０では、Ｓ３２０において抽出した手書きフォントを当該情報端末にネットワーク網８を介して配信し、Ｓ３１０に戻る。具体的には、Ｓ３１０において受信した条件付コード情報の送信元である情報端末（送信側端末２又は受信側端末４）に対して、ネットワークＩＦ２６を介して手書きフォントを送信する。なお、Ｓ３２０において抽出した手書きフォントに対応する筆記者の写真（例えば手書きフォントを登録した当時の写真）を添付して送信してもよい。また、Ｓ３２０において、手書きフォントが一つも抽出されなかった場合には、その旨を示すエラーメッセージを、手書きフォントに代えて送信することもできる。
【００５７】
［１−２−４．手書きフォント送信処理］
次に、送信側端末２の制御部１０が実行する手書きフォント送信処理について、図８のフローチャートを用いて説明する。なお、本処理は、操作部１２からの入力に応じて、手書きフォントの登録に関連するアプリケーションの開始と共に起動し、当該アプリケーションが終了するまで実行される。
【００５８】
本処理が起動すると、送信側端末２の制御部１０は、まず、Ｓ４１０において、表示部１４を介して操作者による手書き文字等のペン操作等の入力を受け付ける。なお、手書き文字等とは、操作者による手書きの文字の他、手書きの数字、記号及び図形を含む概念である。また、ペン操作等とは、例えばスタイラスペン等を用いて操作部１２を介し、手書き文字等を入力する操作や、例えば送信側端末２のカメラ（非図示）を介して、紙媒体等に記載された文字等を撮像する操作をいう。手書き文字等のペン操作等の入力に関する受付画面は、例えば、操作者が登録を所望する文字、数字、記号及び図形のいずれかを１つずつ提示し、この提示したものに相当する手書き文字等の入力を促すように構成されている。
【００５９】
次に、Ｓ４２０では、操作部１２からの入力に基づき、Ｓ４１０におけるペン操作等に応じた手書きフォントを生成する。具体的には、ペン操作等において入力された手書き文字等のそれぞれに対応するフォントデータを手書きフォントとして生成する。なお、このフォントデータとしては、ビットマップフォントやスケーラブルフォント、ストロークフォント、アウトラインフォントの他、ＪＰＥＧやＧＩＦ、ＰＮＧ等の各種の画像データ（写真を含む）を採用することができる。よって、手書きフォントとしては、いわゆるフォント形式のデータ、及び、一般的な画像形式のデータ、のいずれのデータも採用することができる。
【００６０】
続くＳ４３０では、操作部１２からの入力に基づき、操作者のペン操作等による手書き文字等の入力が完了したか否かを判断する。手書き文字等の入力が完了したと判断した場合には、Ｓ４４０に移行し、完了していないと判断した場合には、Ｓ４１０及びＳ４２０を続行する。
【００６１】
続くＳ４４０では、表示部１４を介して操作者による指定条件の選択を受け付ける。なお、指定条件の選択においては、Ｓ４２０において生成された手書きフォントを対象として、筆記者のＩＤ情報や属性情報、履歴情報に関連する条件が操作者により入力される。この選択では、既にセンタ装置６に登録されている情報に関連する条件の入力を省略することができる。また、例えば筆記者の職業や年齢、学年等、更新を必要とする情報の入力を促すことができる。
【００６２】
続くＳ４５０では、Ｓ４４０において選択された指定条件に応じた条件情報を生成する。例えば、Ｓ４４０において、手書きフォントの筆記者に対応するＩＤ情報を生成し、さらに年齢または学年が指定された場合には、これに対応する履歴情報を生成する。あるいは、Ｓ４４０において、性別や血液型、職業、年代等が指定された場合には、これに対応する属性情報を生成する。
【００６３】
続くＳ４６０では、操作部１２からの入力に基づき、操作者による送信操作が入力されたか否かを判断する。送信操作が入力されたと判断した場合には、Ｓ４７０に移行し、送信操作が入力されていないと判断した場合には、Ｓ４１０〜Ｓ４５０を続行する。
【００６４】
続くＳ４７０では、Ｓ４２０において生成された手書きフォントを、当該手書きフォントに対応するコード情報及び条件情報と共に、センタ装置６にネットワーク網８を介して送信し、Ｓ４１０に戻る。具体的には、Ｓ４１０における受付画面で提示した文字等に対応するコード情報と、当該コード情報にそれぞれ対応する手書きフォントと、Ｓ４５０において生成された条件情報と、を含む情報（以下「条件付手書きフォント」という）が、通信部１６を介して送信される。
【００６５】
［１−２−５．登録・更新処理］
次に、センタ装置６の制御部２２が実行する登録・更新処理について、図９のフローチャートを用いて説明する。なお、本処理は、センタ装置６の電源がオンされると起動し、当該電源がオフされると終了する。
【００６６】
本処理が起動すると、センタ装置６の制御部２２は、まず、Ｓ５１０において、記憶装置２４に記憶されている条件情報から所定の付加情報を検索する。具体的には、付加情報のうち、例えば属性情報の生年月日に基づく実際の年齢または学年と、履歴情報の「現在」のフラグが立てられた年齢または学年と、を比較し、両者の差分が所定のしきい値を上回る付加情報を抽出する。
【００６７】
次に、Ｓ５２０では、Ｓ５１０において検索された付加情報に基づき、付加条件により規定される手書きフォントの更新タイミングに相当するＩＤ情報が存在するか否かを判断する。具体的には、Ｓ５１０において抽出された付加情報に含まれている履歴情報を参照し、例えば５年毎に手書きフォントが登録されているＩＤ情報については、「現在」のフラグが立てられた年齢または学年から５年が経過したか否かを、属性情報の生年月日に基づいて判断する。本実施形態では、このように手書きフォントの筆記者による手書きフォントの更新ペースを考慮して更新タイミングを判断しているが、これに限らず、例えばＳ５１０におけるしきい値（例えば１〜２年）が経過した場合に、更新タイミングであると判断してもよい。こうして更新タイミングであると判断した場合には、Ｓ６３０に移行し、更新タイミングでないと判断した場合には、Ｓ６３０をスキップしてＳ６４０に移行する。
【００６８】
続くＳ５３０では、Ｓ５２０において更新タイミングであると判断したＩＤ情報に対応する情報端末（送信側端末２）を対象として、手書きフォントの登録を促す更新メッセージを、ネットワーク網８を介して送信する。具体的には、手書きフォントの登録に加えて、更新が必要な可能性のある属性情報（例えば職業）の確認を促すメッセージを更新メッセージとして、ネットワークＩＦ２６を介して対応する送信側端末２に当該更新メッセージを送信する。
【００６９】
続くＳ５４０では、ネットワークＩＦ２６を介して情報端末（送信側端末２）から条件付手書きフォントを受信したか否かを判断する。条件付手書きフォントを受信したと判断した場合には、Ｓ５５０に移行し、条件付コード情報を受信していないと判断した場合には、Ｓ５１０〜Ｓ５３０を続行する。
【００７０】
続くＳ５５０では、Ｓ５４０において受信した条件付手書きフォントに基づき、手書きフォントを当該コード情報及び条件情報に対応付けて、記憶装置２４のデータベースに登録し、Ｓ５１０に戻る。具体的には、当該条件付手書きフォントを構成するコード情報、条件情報及び手書きフォントのうち、条件情報に含まれているＩＤ情報について、当該コード情報毎に手書きフォント及び履歴情報並びに必要な属性情報を記憶する。なお、この登録が完了した旨を通知するための登録完了メッセージを、ネットワークＩＦ２６を介して対応する送信側端末２に送信してもよい。
【００７１】
［１−３．効果］
以上詳述した第１実施形態によれば、以下の効果が得られる。
（１ａ）手書きフォント配信システム１では、送信側端末２の操作者（送り手）により選択された指定条件として、筆記者に関連する１ないし複数種類の条件を満たす手書きフォントが受信側端末４に表示される。このため、例えば同一人相手に、頻繁に電子情報を送る場合であっても、送り手側がその都度、指定条件を変更することにより、多種多様な手書きフォントを受信側端末４に受け取らせることが可能となる。したがって、手書きフォントによって受け手に良くない（いわゆるマンネリ等の）印象を与える懸念を低減でき、ひいては手書きフォントの利用の活性化につなげることができる。またこれにより、電子メールや電子メッセージ等の更なる利用促進につなげることもできる。
【００７２】
（２ａ）また、送り手の直接的な指定により、筆記者の異なる多種多様な手書きフォントを受信側の情報端末に受け取らせることが可能となり、例えば遠隔地に住む祖父母宛のメールに孫の手書きフォントを用いたり、例えば友人宛のメールにその友人の好みの有名人の手書きフォントを用いたりすることがより容易になる。これにより手書きフォントの利用の活性化をより図ることができ、ひいては電子メールや電子メッセージ等の更なる利用促進につなげることもできる。
【００７３】
（３ａ）また、送り手自身と同じカテゴリーに属する筆記者の手書きフォントを容易に利用できるようになるので、例えば送り手が自筆の手書きフォントを前もってセンタ装置に登録していない状態であっても、手書きフォントの利用を試す契機付けを送り手に与えることができる。これにより手書きフォントの利用の活性化をより図ることができ、ひいては電子メールや電子メッセージ等の更なる利用促進につなげることもできる。
【００７４】
（４ａ）また、例えば送り手自身が年齢または学年が変わる毎に自筆の手書きフォントをセンタ装置に登録することにより、送り手自身が幼少の頃に筆記した手書きフォントを大人になってからも使用することができ、ひいては電子メールや電子メッセージ等について、バラエティに富み、且つオリジナル性の高い利用を促進することができる。また例えば、送り手自身の手書きフォントに限らず、送り手と同じ年代に属する筆記者の手書きフォントを利用できるので、前の段落で既に述べた同様の理由により、手書きフォントの利用の活性化をより図ることができ、ひいては電子メールや電子メッセージ等の更なる利用促進につなげることもできる。
【００７５】
（５ａ）また、送り手側のペン入力等により、必ずしも送信側端末２に記憶させることなく、自筆の手書きフォントをセンタ装置６に容易に登録することができる。
（６ａ）また、例えば送り手自身が年齢または学年が変わる毎に自筆の手書きフォントをセンタ装置６に登録しようとする際に、センタ装置６から送信側端末２へリマインダの通知がなされるので、利用者の登録忘れを適切に予防することができる。
【００７６】
［２．第２実施形態］
［２−１．第１実施形態との相違点］
第２実施形態は、基本的な構成は第１実施形態と同様であるため、共通する構成については説明を省略し、相違点を中心に説明する。
【００７７】
前述した第１実施形態では、基本的に送信側端末２から電子情報を受け取った受信側端末４に対してセンタ装置６から手書きフォントが配信される構成を説明したが。これに対し、第２実施形態では、電子情報の作成段階における送信側端末２に対してセンタ装置６から手書きフォントが配信される点で、第１実施形態と相違する。
【００７８】
［２−２．電子情報送信処理］
次に、第２実施形態の送信側端末２の制御部１０が、第１実施形態の電子情報送信処理（図５）に代えて実行する電子情報送信処理について、図１０のフローチャートを用いて説明する。なお、図１０におけるＳ６１０〜Ｓ６６０、Ｓ６７０及びＳ６８０の処理は、図５におけるＳ１１０〜Ｓ１８０の処理と同様であるため、説明を一部簡略化している。
【００７９】
本処理が起動すると、送信側端末２の制御部１０は、まず、ステップＳ６１０において、表示部１４を介して操作者によるメール操作の入力を受け付ける。次に、Ｓ６２０では、操作部１２からの入力に基づき、Ｓ６１０におけるメール操作に応じたコード情報を生成する。続くＳ６３０では、操作部１２からの入力に基づき、操作者による電子情報の本文の入力が完了したか否かを判断する。例えばこの入力が完了したと判断した場合には、Ｓ６４０に移行し、この入力が完了していないと判断した場合には、Ｓ６１０〜Ｓ６２０を続行する。
【００８０】
Ｓ６４０では、表示部１４を介して操作者による指定条件の選択を受け付ける。続くＳ６５０では、操作部１２からの入力に基づき、Ｓ６４０における指定条件が選択されたか否かを判断する。指定条件が選択されたと判断した場合には、Ｓ６６０に移行し、指定条件が選択されなかったと判断した場合には、Ｓ６６０〜Ｓ６６６をスキップしてＳ６７０に移行する。Ｓ６６０では、Ｓ６５０において選択された指定条件に応じた条件情報を生成する。
【００８１】
続くＳ６６２では、Ｓ６６０において生成した条件情報と、当該条件情報に対応するコード情報（Ｓ６２０において生成したコード情報）と、をセンタ装置６にネットワーク網８を介して転送する。具体的には、電子メールや電子メッセージ等（電子情報）の本文のうち手書きフォントに変換するテキストの対象部分と共に、手書きフォントに関する指定条件を示す条件情報と、当該テキストに対応する１ないし複数のコード情報と、を含む情報（つまり条件付コード情報）が、通信部１６を介して送信される。
【００８２】
続くＳ６６４では、Ｓ６６２における条件付コード情報の送信に対する応答として、センタ装置６から通信部１６を介して手書きフォントを受信したか否かを判断する。この手書きフォントを受信したと判断した場合には、Ｓ６６６に移行し、手書きフォントを受信していないと判断した場合には、Ｓ６６４を続行する。
【００８３】
続くＳ６６６では、Ｓ６６４において受信した手書きフォントを含む電子情報（つまり作成段階の電子情報）を表示部１４に表示する。具体的には、Ｓ６１０において操作者が作成段階の電子情報のうち、Ｓ６６２におけるテキストの対象部分を、Ｓ６６４において受信した手書きフォントに変換してプレビュー表示する。
【００８４】
続くＳ６７０では、操作部１２からの入力に基づき、操作者による送信操作が入力されたか否かを判断する。この送信操作が入力されたと判断した場合には、Ｓ６８０に移行し、送信操作が入力されていないと判断した場合には、Ｓ６１０〜Ｓ６６６を続行する。続くＳ６８０では、Ｓ６２０において生成された１ないし複数のコード情報と、Ｓ６６０において生成された条件情報と、を対応付けた情報を含む電子情報を、他の情報端末（受信側端末４）に送信し、Ｓ６１０に戻る。
【００８５】
［２−３．効果］
以上詳述した第２実施形態によれば、前述した第１実施形態の効果（１ａ）−（６ａ）に加え、以下の効果が得られる。
【００８６】
（１ｂ）手書きフォント配信システム１では、送り手側の作成段階において、送信側端末２が、多種多様な手書きフォントをセンタ装置６から取得し、対象となるテキストを手書きフォントに変換してプレビュー表示させることが可能となるため、送信側端末２に予め手書きフォントを記憶させておく必要がなくなり、手書きフォントの利用性を高めることができる。
【００８７】
［３．他の実施形態］
以上、本発明の実施形態について説明したが、本発明は上記実施形態に限定されることなく、種々の形態を採り得る。
【００８８】
（３Ａ）上記第２実施形態では、送り手側の作成段階において、送信側端末２が、センタ装置６から手書きフォントを取得するようにしているが、これに限定されるものではない。例えば、これに代えて、送信側端末２が、手書きフォントを予めメモリ２０に記憶しておき、メモリ２０から手書きフォントを読み出すようにしてもよい。なお、手書きフォントについては、センタ装置６からダウンロード等により予め取得するようにしてもよいし、手書きフォント送信処理（図８）において入力されたものをメモリ２０に記憶するようにしてもよい。
【００８９】
（３Ｂ）上記第１実施形態では、手書きフォント送信処理（図８）において、センタ装置６に手書きフォントを登録するために、送信側端末２が、条件付手書きフォントをセンタ装置６に送信するようにしているが、これに限定されるものではない。例えば、これに加えて、センタ装置６に送信する条件付手書きフォントに基づき、当該手書きフォントを自身の条件情報（ＩＤ情報、属性情報又は履歴情報）に対応付けたデータをメモリ２０に記憶するようにしてもよい。なお、送信側端末２が、定期的にセンタ装置６に問い合わせを行い、メモリ２０に記憶されている上記データを、センタ装置６の記憶装置２４のデータベースのうち対応するデータと自動同期するようにしてもよい。
【００９０】
（３Ｃ）上記実施形態における１つの構成要素が有する機能を複数の構成要素として分散させたり、複数の構成要素が有する機能を１つの構成要素に統合させたりしてもよい。また、上記実施形態の構成の少なくとも一部を、同様の機能を有する公知の構成に置き換えてもよい。また、上記実施形態の構成の一部を省略してもよい。また、上記実施形態の構成の少なくとも一部を、他の上記実施形態の構成に対して付加又は置換してもよい。なお、特許請求の範囲に記載した文言のみによって特定される技術思想に含まれるあらゆる態様が本発明の実施形態である。
【００９１】
（３Ｄ）上述した手書きフォント配信システム１の他、当該手書きフォント配信システム１を構成する送信側端末２、受信側端末４及びセンタ装置６、並びに送信側端末２、受信側端末４及びセンタ装置６のそれぞれとしてコンピュータを機能させるための１ないし複数のプログラム、このプログラムの少なくとも一部を記録した１ないし複数の媒体、手書きフォント配信方法など、種々の形態で本発明を実現することもできる。
【符号の説明】
【００９２】
１…手書きフォント配信システム、２…送信側端末、４…受信側端末、６…センタ装置、８…ネットワーク網、１０…制御部、１２…操作部、１４…表示部、１６…通信部、１８…ＣＰＵ、２０…メモリ、２２…制御部、２４…記憶装置、２６…ネットワークＩＦ。
【要約】
【課題】手書きフォントの利用の活性化につなげることが可能な技術を提供する。
【解決手段】複数の情報端末は、文字、数字、記号及び図形のうち少なくとも１種類の１ないし複数のコード情報を含む電子情報を送受信する。センタ装置には、複数のコード情報について、当該コード情報毎に手書きフォントが、当該手書きフォントを指定するための指定条件を示す条件情報に対応付けて記憶されている。情報端末は、コード情報と条件情報とを対応づけた電子情報を他の情報端末（受信側端末）に送信する。この電子情報を受信した受信側端末は、当該電子情報に含まれている条件情報と、当該条件情報に対応するコード情報と、をセンタ装置に転送し、その後、センタ装置から配信された「上記指定条件を満たす手書きフォント」を表示する。ここで条件情報は、上記指定条件として、手書きフォントについての筆記者に関連する１ないし複数種類の条件を示す情報である。
【選択図】図４【図１】
0005861229.tif 000002
【図２】
0005861229.tif 000003
【図３】
0005861229.tif 000004
【図４】
0005861229.tif 000005
【図５】
0005861229.tif 000006
【図６】
0005861229.tif 000007
【図７】
0005861229.tif 000008
【図８】
0005861229.tif 000009
【図９】
0005861229.tif 000010
【図１０】
0005861229.tif 000011